(57)【要約】【課題】  ユーザがある機能に関する設定を誤った場合に該当の項目のみ変更することが可能な映像音響機器を提供する。【解決手段】  所定の設定項目をユーザが設定する際に、制御部４はユーザの設定変更指示に応じて変更に必要な情報や警告等の案内情報をテレビ１０に表示させる。ユーザは案内情報を参照してリモコン１２を操作し、設定を変更する場合には実行指示を送り、設定の変更を中止する場合には取消指示を送る。制御部４は実行指示を受けた場合に記憶部６に記憶される設定情報を書き換えるが、取消指示を受けた場合には設定情報を変更しない。案内情報に基づいてユーザが取消指示を送ることができるので、ユーザが機能の設定を誤る可能性が低くなる。【選択図】        図１
2006310966.tif 000002
【特許請求の範囲】
【請求項１】
ユーザによる設定変更指示に応じて各々変更可能な複数の設定情報を不揮発的に記憶する、書換可能な記憶部を備え、
前記複数の設定情報の各々は、変更の際の条件として、前記ユーザによる実行指示が必要な第１の条件か、前記実行指示が不要な第２の条件かのいずれかを有し、
前記複数の設定情報の各々に応じて動作が設定される信号処理部と、
前記実行指示を送るか否かを前記ユーザに判断させるための案内情報を、外部接続される表示装置に表示させる表示処理部と、
前記設定変更指示に応じ、前記記憶部に記憶される前記複数の設定情報のうちの対応する設定情報を前記第１または第２の条件に従って書換を行なう制御部とをさらに備え、
前記制御部は、前記対応する設定情報が前記第１の条件を有する場合には、内蔵する前記案内情報を前記表示装置に表示させるよう前記表示処理部に指示し、前記ユーザから取消指示を受けたときに前記対応する設定情報の書換を取消し、前記ユーザから前記実行指示を受けたときに前記対応する設定情報の書換を行ない、前記対応する設定情報が前記第２の条件を有する場合には、前記案内情報を出力せずに前記対応する設定情報の書換を行なう、映像音響機器。
【請求項２】
ユーザによる設定変更指示に応じて各々変更可能な複数の設定情報を不揮発的に記憶する、書換可能な記憶部を備え、
前記複数の設定情報の各々は、変更の際の条件として、変更後の状態から変更前の状態に戻すことが可能な第１の条件か、変更後の状態から変更前の状態に戻すことが不可能な第２の条件かのいずれかを有し、
前記複数の設定情報の各々に応じて動作が設定される信号処理部と、
前記設定変更指示に応じ、前記記憶部に記憶される前記複数の設定情報のうちの対応する設定情報を前記第１または第２の条件に従って書換を行なう制御部とをさらに備え、
前記制御部は、前記対応する設定情報が前記第１の条件を有する場合には、前記対応する設定情報の変更後の情報を仮の設定情報として作成し、前記対応する設定情報とは別に前記仮の設定情報を前記記憶部に格納し、前記設定変更指示に続くユーザ指示が取消指示であるときに、前記対応する設定情報の書換を取消し、前記ユーザ指示が実行指示であるときに、前記仮の設定情報を用いて前記対応する設定情報の書換を行ない、前記対応する設定情報が前記第２の条件を有する場合には、前記ユーザ指示によらず前記対応する設定情報の書換を行なう、映像音響機器。
【請求項３】
設定変更指示に応じて各々変更可能な複数の設定情報を不揮発的に記憶する、書換可能な記憶部と、
前記複数の設定情報の各々に応じて動作が設定される信号処理部と、
前記設定変更指示に応じ、前記記憶部に記憶される前記複数の設定情報のうちの対応する設定情報を、前記対応する設定情報が有する変更条件に従って書換を行なう制御部とを備え、
前記制御部は、前記対応する設定情報が前記変更条件として第１の条件を有する場合には、前記設定変更指示に続いて取消指示を受けるときに前記対応する設定情報の書換を取消す、映像音響機器。
【請求項４】
前記制御部は、前記対応する設定情報が前記変更条件として前記第１の条件を有する場合には、前記設定変更指示に続いて実行指示を受けるときに前記対応する設定情報の書換を行ない、前記対応する設定情報が前記変更条件として第２の条件を有する場合には、前記実行指示または前記取消指示の入力に拘らず、前記設定変更指示を受けると前記対応する設定情報の書換を行なう、請求項３に記載の映像音響機器。
【請求項５】
前記設定変更指示は、ユーザにより送られ、
前記第１の条件は、前記ユーザによる前記実行指示または前記取消指示が必要な場合に適用される条件である、請求項４に記載の映像音響機器。
【請求項６】
前記制御部は、前記変更条件が前記第１の条件である場合に、前記実行指示を送るか否かを前記ユーザに判断させるため、予め記憶する案内情報を出力する、請求項５に記載の映像音響機器。
【請求項７】
前記映像音響機器は、
前記制御部から受ける前記案内情報を、外部接続される表示装置に表示させる表示処理部をさらに備える、請求項６に記載の映像音響機器。
【請求項８】
前記設定変更指示は、ユーザにより送られ、
前記第１の条件は、前記対応する設定情報を変更後の状態から変更前の状態に戻すことを可能とする場合に適用される条件であり、
前記第２の条件は、前記対応する設定情報を変更後の状態から変更前の状態に戻すことを不可能とする場合に適用される条件であり、
前記制御部は、前記変更条件が前記第１の条件である場合には、前記対応する設定情報の変更後の情報を仮の設定情報として作成し、前記対応する設定情報とは別に前記仮の設定情報を前記記憶部に格納し、前記設定変更指示に続いて前記ユーザから前記実行指示を受けたときに、前記仮の設定情報を用いて前記対応する設定情報の書換を行なう、請求項４に記載の映像音響機器。
【発明の詳細な説明】
【技術分野】
【０００１】
本発明は映像音響機器に関し、特に映像音響機器が有する初期設定機能あるいは設定変更機能に関する。
【背景技術】
【０００２】
映像音響機器を含む家電製品では一般的に電源投入時あるいは使用中に各種機能が設定される。たとえばテレビの場合、画面上に表示された設定メニュー画面の案内に従ってユーザが設定を行なうという設定方法が広く普及している。装置の誤動作を防ぐため、ユーザが設定の際に正しい情報を入力することが必要になる。
【０００３】
たとえば特開２００４−３１８７１５号公報（特許文献１）では、ある機能の実行を終えた後に、戻った表示画面において「戻る」などの否定操作がされた場合に、実行された画面を記憶し、再び同じ機能の実行を終えた際にはもう１階層前である２階層前の表示画面に戻ることにより情報端末の操作性を向上させる情報入力装置が開示される。
【０００４】
また、特開２００１−２３６１６６号公報（特許文献２）では、入力手段から所定の一方向への移動指示があった際、移動指示直前にカーソルが位置していた選択肢に下位選択肢がない場合、移動指示直前に選択されていた選択肢を設定内容として決定することで少ないキーで円滑に操作でき、誤操作を防止できる電子機器が開示される。
【特許文献１】特開２００４−３１８７１５号公報
【特許文献２】特開２００１−２３６１６６号公報
【発明の開示】
【発明が解決しようとする課題】
【０００５】
ユーザは機能を設定する場合、設定メニュー画面に表示された複数の項目を好みに応じて設定する。以下、映像音響機器の機能設定の例としてＤＶＤ（Ｄｉｇｉｔａｌ  Ｖｅｒｓａｔｉｌｅ  Ｄｉｓｃ）レコーダの従来の設定例を説明する。
【０００６】
図６は、従来のＤＶＤレコーダにおける設定メニュー画面の遷移例を示す図である。図６を参照して、画面ＳＣ１０１はＤＶＤレコーダにテレビが接続されている場合にテレビの画面に表示される設定メニュー画面を示す。この設定メニュー画面は初期設定時あるいは設定変更時に表示される。
【０００７】
画面ＳＣ１０１には設定メニュー画面表示時の言語（ＯＳＤ  Ｌａｎｇｕａｇｅ）、時計（Ｃｌｏｃｋ）、受信チャネル（Ｃｈａｎｎｅｌ）等の各種設定項目が表示されている。ユーザはたとえばリモコンのカーソルキーを押して画面ＳＣ１０１上のカーソルＣ１００を移動させる。
【０００８】
画面ＳＣ１０２に示すように、カーソルＣ１００はプログレッシブ再生（Ｐｒｏｇｒｅｓｓｉｖｅ）の位置にある。この状態でユーザがリモコンの「決定」キーを押すと、プログレッシブ再生に関する設定画面（画面ＳＣ１０３）に切り換わる。プログレッシブ再生とは再生方式の一種であり、通常の再生方式であるインターレース方式で用いられる数の倍の走査線を用いて映像を再生することにより、高画質の映像を再生できる。
【０００９】
画面ＳＣ１０３では、プログレッシブ再生を設定するか否かに関する情報が表示される。画面ＳＣ１０３に示すように「ＯＦＦ」の位置にチェック記号Ｍが付されているので、この状態では再生方式がプログレッシブ方式ではなく、インターレース方式に設定されている。
【００１０】
画面ＳＣ１０４に示されるように、ユーザがリモコンのカーソルキーを押して「ＯＮ」の位置にチェック記号Ｍを移動させると再生方式はプログレッシブ方式に設定される。しかしながらＤＶＤレコーダに接続されるテレビの再生方式がインターレース方式である場合には、再生方式が異なるためテレビの画面に何も表示されなくなる。この時点でユーザは再生方式の設定が誤っていることに気付く。しかし、テレビの画面に何も表示されていないため、ユーザは画面を見ながら設定を変えることができない。テレビに設定メニュー画面を表示させるため、ユーザはたとえばＤＶＤレコーダに設けられたリセットボタンを押さなければならない。
【００１１】
従来の映像音響機器では、実際に機能を設定してみないと設定が正しいかどうかをユーザが判断できないことが多い。しかしながらテレビの画面に何も表示されないなど設定の誤りが重大である場合には、ユーザは設定をリセットしてすべての設定項目を再度設定しなければならない。リセットボタンが押された場合には、ユーザが設定したすべての項目が初期状態に戻ってしまう。このように従来の映像音響機器ではユーザに各種機能を設定する際の利便性が考慮されていなかった。
【００１２】
本発明の目的は、ユーザがある機能に関する設定を誤った場合に該当の項目のみ変更することが可能な映像音響機器を提供することである。
【課題を解決するための手段】
【００１３】
本発明は要約すれば、映像音響機器であって、ユーザによる設定変更指示に応じて各々変更可能な複数の設定情報を不揮発的に記憶する、書換可能な記憶部を備える。複数の設定情報の各々は、変更の際の条件として、ユーザによる実行指示が必要な第１の条件か、実行指示が不要な第２の条件かのいずれかを有する。映像音響機器は、複数の設定情報の各々に応じて動作が設定される信号処理部と、実行指示を送るか否かをユーザに判断させるための案内情報を、外部接続される表示装置に表示させる表示処理部と、設定変更指示に応じ、記憶部に記憶される複数の設定情報のうちの対応する設定情報を第１または第２の条件に従って書換を行なう制御部とをさらに備える。制御部は、対応する設定情報が第１の条件を有する場合には、内蔵する案内情報を表示装置に表示させるよう表示処理部に指示し、ユーザから取消指示を受けたときに対応する設定情報の書換を取消し、ユーザから実行指示を受けたときに対応する設定情報の書換を行ない、対応する設定情報が第２の条件を有する場合には、案内情報を出力せずに対応する設定情報の書換を行なう。
【００１４】
本発明の他の局面に従うと、映像音響機器であって、ユーザによる設定変更指示に応じて各々変更可能な複数の設定情報を不揮発的に記憶する、書換可能な記憶部を備える。複数の設定情報の各々は、変更の際の条件として、変更後の状態から変更前の状態に戻すことが可能な第１の条件か、変更後の状態から変更前の状態に戻すことが不可能な第２の条件かのいずれかを有する。映像音響機器は、複数の設定情報の各々に応じて動作が設定される信号処理部と、設定変更指示に応じ、記憶部に記憶される複数の設定情報のうちの対応する設定情報を第１または第２の条件に従って書換を行なう制御部とをさらに備える。制御部は、対応する設定情報が第１の条件を有する場合には、対応する設定情報の変更後の情報を仮の設定情報として作成し、対応する設定情報とは別に仮の設定情報を記憶部に格納し、設定変更指示に続くユーザ指示が取消指示であるときに、対応する設定情報の書換を取消し、ユーザ指示が実行指示であるときに、仮の設定情報を用いて対応する設定情報の書換を行ない、対応する設定情報が第２の条件を有する場合には、ユーザ指示によらず対応する設定情報の書換を行なう。
【００１５】
本発明のさらに他の局面に従うと、映像音響機器であって、設定変更指示に応じて各々変更可能な複数の設定情報を不揮発的に記憶する、書換可能な記憶部と、複数の設定情報の各々に応じて動作が設定される信号処理部と、設定変更指示に応じ、記憶部に記憶される複数の設定情報のうちの対応する設定情報を、対応する設定情報が有する変更条件に従って書換を行なう制御部とを備える。制御部は、対応する設定情報が変更条件として第１の条件を有する場合には、設定変更指示に続いて取消指示を受けるときに対応する設定情報の書換を取消す。
【００１６】
好ましくは、制御部は、対応する設定情報が変更条件として第１の条件を有する場合には、設定変更指示に続いて実行指示を受けるときに対応する設定情報の書換を行ない、対応する設定情報が変更条件として第２の条件を有する場合には、実行指示または取消指示の入力に拘らず、設定変更指示を受けると対応する設定情報の書換を行なう。
【００１７】
より好ましくは、設定変更指示は、ユーザにより送られ、第１の条件は、ユーザによる実行指示または取消指示が必要な場合に適用される条件である。
【００１８】
さらに好ましくは、制御部は、変更条件が第１の条件である場合に、実行指示を送るか否かをユーザに判断させるため、予め記憶する案内情報を出力する。
【００１９】
さらに好ましくは、映像音響機器は、制御部から受ける案内情報を、外部接続される表示装置に表示させる表示処理部をさらに備える。
【００２０】
より好ましくは、設定変更指示は、ユーザにより送られ、第１の条件は、対応する設定情報を変更後の状態から変更前の状態に戻すことを可能とする場合に適用される条件であり、第２の条件は、対応する設定情報を変更後の状態から変更前の状態に戻すことを不可能とする場合に適用される条件である。制御部は、変更条件が第１の条件である場合には、対応する設定情報の変更後の情報を仮の設定情報として作成し、対応する設定情報とは別に仮の設定情報を記憶部に格納し、設定変更指示に続いてユーザから実行指示を受けたときに、仮の設定情報を用いて対応する設定情報の書換を行なう。
【発明の効果】
【００２１】
本発明の映像音響機器によれば、複数の設定項目のうちの所定の項目についてユーザが設定を変更した場合に変更内容が誤っていてもユーザの取消指示に応じて変更前の状態に戻すことができるので、ユーザの利便性が向上する。
【発明を実施するための最良の形態】
【００２２】
以下において、本発明の実施の形態について図面を参照して詳しく説明する。なお、図中同一符号は同一または相当部分を示す。
【００２３】
［実施の形態１］
図１は、実施の形態１の映像音響機器の構成例を示すブロック図である。図１を参照して、本発明の映像音響機器の一例としてＤＶＤレコーダ１が示される。ＤＶＤレコーダ１は、記録再生部２と、制御部４と、記憶部６と、出力部８と、表示処理部９と、指示入力部１４と、スイッチ部２６とを備える。
【００２４】
記録再生部２は本発明の映像音響機器における信号処理部である。たとえば、記録再生部２はアンテナ２０およびチューナモジュール部２２を介し地上アナログ方送やデジタル衛星放送などの映像信号を受ける。また、記録再生部２は入力ジャック２４から入力される映像信号（外部入力）を受ける。スイッチ部２６はチューナモジュール部２２から受ける映像信号を出力するか、入力ジャック２４から受ける映像信号を出力するかを切換える。記録再生部２はスイッチ部２６から出力される映像信号をたとえばＤＶＤ（図示せず）等の記録媒体に記録する。また、記録再生部２はＤＶＤから映像や音楽などの圧縮映像音声データ（ストリームデータ）を再生時に読出し、圧縮映像音声データを圧縮映像データと圧縮音声データとに分離する。さらに記録再生部２は各圧縮データを復号する。
【００２５】
記録再生部２の動作を設定するための複数の設定情報が記憶部６に記憶される。制御部４は記憶部６に記憶される複数の設定情報に基づき、記録再生部２に対して録画処理や再生処理などの各種処理の制御を行なう。
【００２６】
記憶部６は書換え可能な不揮発性メモリである。たとえば記憶部６はフラッシュＲＯＭ（Ｒｅａｄ  Ｏｎｌｙ  Ｍｅｍｏｒｙ）である。記憶部６に記憶される設定情報は、たとえば受信チャネルに関する情報や再生方式（インターレース方式あるいはプログレッシブ方式）に関する情報等である。
【００２７】
また、設定情報の変更はユーザがテレビ１０に表示された設定メニュー画面を見ながら行なう。記憶部６はテレビ１０に設定メニュー画面を表示させるために必要なデータ（メニュー画面に用いられる画像や文字の情報など）を記憶する。
【００２８】
出力部８は記録再生部２から受ける映像や音声などの情報をテレビ１０に出力する。出力部８は、たとえばビデオドライバとオーディオＤＡＣ（Ｄ／Ａコンバータ）とを含む。ビデオドライバは復号された映像情報に応じ、テレビ１０の画面に映像を表示させるための映像信号を出力する。また、オーディオＤＡＣはデジタルの音声信号をアナログの音声信号に変換してテレビ１０に送る。テレビ１０に内蔵されるスピーカはアナログ音声信号に応じて音声を出力する。
【００２９】
表示処理部９は初期設定時または設定変更時に制御部４から指示を受け、テレビ１０に設定メニュー画面を表示させる。制御部４は記憶部６から複数の設定情報を読み出し、設定メニュー画面に複数の設定情報を表示するよう表示処理部に指示を送る。
【００３０】
なお、本発明の映像音響機器はＤＶＤレコーダに限定されず、テレビ１０に設定メニュー画面を表示させる機能を有する映像音響機器であればよい。また、図１ではＤＶＤレコーダ１にテレビ１０が接続されているが、本発明の映像音響機器はＤＶＤレコーダとテレビとが一体化された複合型の映像音響機器であってもよい。この場合、表示処理部９がテレビに相当する。
【００３１】
指示入力部１４は、リモコン１２や操作ボタン（図示せず）等の入力手段によりユーザから送られる各種指示を受ける。指示入力部１４は入力される各種指示を制御部４に送る。
【００３２】
所定の設定項目をユーザが設定する際に、制御部４はユーザの設定変更指示に応じて変更に必要な情報や警告等の案内情報をテレビ１０に表示させる。ユーザは案内情報を参照してリモコン１２を操作し、設定を変更する場合には実行指示を送り、設定の変更を中止する場合には取消指示を送る。制御部４は実行指示を受けた場合に記憶部６に記憶される設定情報を書き換えるが、取消指示を受けた場合には設定情報を変更しない。案内情報に基づいてユーザが取消指示を送ることができるので、ユーザが機能の設定を誤る可能性が低くなる。
【００３３】
図２は、図１のＤＶＤレコーダ１の機能設定時の画面遷移を示す図である。図２を参照して、画面ＳＣ１はテレビ１０に表示される初期設定時あるいは設定変更時の設定メニュー画面を示す。画面ＳＣ１には設定メニュー画面表示時の言語（ＯＳＤ  Ｌａｎｇｕａｇｅ）、時計（Ｃｌｏｃｋ）、受信チャネル（Ｃｈａｎｎｅｌ）等の各種の設定項目が表示されている。たとえばユーザはリモコン１２のカーソルキーを押して画面ＳＣ１上のカーソルＣ１を移動させる。
【００３４】
画面ＳＣ２に示すように、カーソルＣ１はプログレッシブ再生（Ｐｒｏｇｒｅｓｓｉｖｅ）の位置にある。この状態でユーザがリモコンの「決定」キーを押すと、プログレッシブ再生に関する設定画面（画面ＳＣ３）に切り換わる。
【００３５】
画面ＳＣ３では、プログレッシブ再生を設定するか否かに関する情報が表示される。画面ＳＣ３では「ＯＦＦ」の位置にチェック記号Ｍが付されている。この状態では再生方式がプログレッシブ方式ではなく、インターレース方式に設定されている。
【００３６】
画面ＳＣ４は、ユーザがリモコンのカーソルキーを押して「ＯＮ」の位置にチェック記号Ｍを移動させた状態を示す。従来のＤＶＤレコーダであれば、すぐに再生方式がプログレッシブ方式に設定される。しかしながらＤＶＤレコーダ１は設定を変更してもよいか否かをユーザに判断させるための案内情報をテレビ１０の画面に表示させる。
【００３７】
画面ＳＣ５は、案内情報が表示された状態でのテレビ１０の画面を示す。画面ＳＣ５にはメッセージＭＳＧ１，ＭＳＧ２が表示される。メッセージＭＳＧ１は、プログレッシブ再生の場合にはＤＶＤレコーダ１の接続端子に含まれるＤ端子またはコンポーネント映像端子と、テレビ１０側の対応する端子（Ｄ端子またはコンポーネント映像端子）とがケーブルで接続されていることが必要であることを知らせる内容である。なお、Ｄ端子とはコンポーネント信号（輝度信号、青色差信号、および赤色差信号からなる信号）と、画面のアスペクト比、走査線数、および走査方式（インターレースまたはプログレッシブ）の３つの情報とを伝送するために設けられた端子である。コンポーネント映像端子とはコンポーネント信号を伝送するための端子である。
【００３８】
メッセージＭＳＧ２は、設定を変更する場合にはリモコン１２の「１」と表示されたキーを押し、設定を変更しない場合にはリモコン１２の「０」と表示されたキーを押すことをユーザに指示するものである。ユーザが「１」キーを押すとリモコン１２から制御部４に実行指示が送られる。一方、ユーザが「０」キーを押すとリモコン１２から制御部４に取消指示が送られる。
【００３９】
案内情報は「ＯＦＦ」から「ＯＮ」の位置にチェック記号Ｍを移動させる場合だけでなく、「ＯＮ」から「ＯＦＦ」の位置にチェック記号Ｍを移動させる場合にも表示される。なお、メッセージＭＳＧ１，ＭＳＧ２は画面ＳＣ４上でポップアップ表示させてもよいし、画面ＳＣ４をスクロールさせて表示させてもよい。
【００４０】
メッセージＭＳＧ１，ＭＳＧ２のデータは制御部４に記憶されるが記憶部６に記憶されてもよい。また、案内情報は文字情報に限定されず、テレビ１０のスピーカから音声として発せられる音声情報であってもよい。
【００４１】
さらに、案内情報はプログレッシブ再生の設定時だけでなく、たとえば画面表示言語や受信チャネルなどの設定を変更する際に表示されてもよい。どの項目に対して案内情報を表示させるかは、設定が誤った場合におけるユーザの再設定の手間等を考慮して適切に定められる。
【００４２】
図３は、実施の形態１の映像音響機器における設定変更処理を示すフローチャートである。図３を参照して処理が開始されると、まずステップＳ１では制御部４はテレビ１０に設定メニュー画面を表示させる。制御部４は設定メニュー画面に関する情報（たとえば画面の色や表示する項目等の情報）や設定情報を記憶部６から読み出し、読み出した情報を表示させるために表示処理部９に指示を送る。表示処理部９は受けた指示に応じ、制御部４が記憶部６から読み出した情報をテレビ１０に表示させる。なお、設定メニュー画面の表示は初期電源投入時やユーザによる設定呼出指示が制御部４に送られた時に行なわれる。
【００４３】
ステップＳ２では、設定メニュー画面に表示された複数の設定項目のうち、設定変更対象となる項目がユーザにより決定される。ユーザがリモコン１２のカーソルキーを操作するごとに指示入力部１４を介してリモコン１２からカーソル移動指示が送られる。制御部４はカーソル移動指示に応じ、設定メニュー画面上のカーソルを移動させるよう表示処理部９に指示し、表示処理部９は指示に応じて、テレビ１０の画面上のカーソルを移動させる。カーソルが設定メニュー画面上のある設定項目上に位置するときにユーザがリモコン１２の決定キーを押すと設定項目が決定される。
【００４４】
ステップＳ３では、制御部４は設定画面（たとえば図２における画面ＳＣ３）をテレビ１０に表示させるための指示を表示処理部９に送る。表示処理部９は指示に応じてテレビ１０に設定画面を表示させる。
【００４５】
ステップＳ４では、ユーザがリモコン１２のカーソル移動キーを押したことに応じて制御部４に設定変更指示が入力される。
【００４６】
ステップＳ５では、制御部４は設定変更指示の入力に応じ、案内情報（たとえば図２におけるメッセージＭＳＧ１，ＭＳＧ２）を表示するか否かを、設定変更指示に対応する設定情報の変更条件に基づいて判断する。設定情報の変更条件が第１の条件を満たす場合、つまりユーザによる実行指示を受けた場合に設定情報が変更される場合（ステップＳ５においてＹＥＳ）、処理はステップＳ６に進む。
【００４７】
ステップＳ６において制御部４は内蔵するか、または記憶部６から読み出した案内情報をテレビ１０に表示させるよう表示処理部９に指示する。表示処理部９は制御部４からの指示に基づき、テレビ１０の画面に案内情報を表示させる。
【００４８】
ステップＳ６に続きステップＳ７では、制御部４はユーザ指示（実行指示あるいは取消指示）を受ける。次にステップＳ８において、制御部４は実行指示を受けた場合（ステップＳ８においてＹＥＳ）、ステップＳ９において設定変更処理を行ない、記憶部６に記憶されている設定情報を書き換える。一方、ステップＳ８において制御部４が取消指示を受けた場合（ステップＳ８においてＮＯ）、制御部４は記憶部６に記憶されている設定情報に対して書換えを行なわない。よってこの場合には設定情報は変更されない。ステップＳ８においてＮＯの場合、処理はステップＳ１に戻る。
【００４９】
一方、ステップＳ５において、設定情報の変更条件が第２の条件を満たす場合、つまりユーザによる実行指示が不要な場合には案内情報はテレビ１０の画面に表示されない（ステップＳ５においてＮＯ）。この場合、処理は上述のステップＳ９に進み、制御部４は記憶部６に記憶されている設定情報に対して書換えを行なう。
【００５０】
以上のように実施の形態１によれば、複数の設定項目のうち所定の項目については設定変更の際に変更を実行するか否かをユーザに判断させるための案内情報が表示される。ユーザは一旦設定の変更を誤っても案内情報に従ってその設定を取消すことができるのでリセットによりすべての項目を再設定する必要がなくなる。よってユーザの利便性が向上する。
【００５１】
［実施の形態２］
実施の形態２の映像音響機器の構成は、実施の形態１の映像音響機器の構成と同様である。たとえば実施の形態２の映像音響機器がＤＶＤレコーダであれば、ＤＶＤレコーダの構成は図１のＤＶＤレコーダ１と同じである。よって、実施の形態２の映像音響機器の構成について、以後の説明は繰り返さない。
【００５２】
図４は、実施の形態２の映像音響機器の機能設定時の画面遷移を示す図である。図４を参照して、実施の形態２の映像音響機器では、画面ＳＣ５に代えて画面ＳＣ４の後に画面ＳＣ６，ＳＣ７と画面が遷移する点で図２に示す画面遷移と異なるが、他の部分については図２に示す画面遷移と同様であるので以後の説明は繰り返さない。よって、画面ＳＣ４以後の画面遷移について説明する。
【００５３】
画面ＳＣ４でユーザがカーソルキーを押して「ＯＮ」の項目にチェック記号Ｍを移動させると、「ＯＮ」の位置にチェック記号Ｍが移動した時点からＤＶＤレコーダの再生方式はプログレッシブ方式に設定される。この点において実施の形態２は実施の形態１と異なる。しかし、テレビ１０の再生方式がインターレース方式であればテレビ１０の画面には何も表示されない（画面ＳＣ６）。
【００５４】
ユーザは、テレビ１０の画面が画面ＳＣ６に示す状態になっていた場合に設定の誤りに気付く。ここでユーザはリモコン１２のキーに対して所定の操作を行なうことでプログレッシブ再生の設定を変更前の状態に戻すことができる。ユーザはたとえばリモコンの電源キーを２度押し、次に３秒間設定キーと決定キーとを同時に押すことでテレビ１０に画面ＳＣ７を表示させることができる。画面ＳＣ７はプログレッシブ再生設定前の状態、つまり画面ＳＣ３と同じ画面である。
【００５５】
実施の形態１ではプログレッシブ再生設定など第１の条件を満たす設定情報をユーザが変更する際に、案内情報をテレビ１０に表示させていた。しかしユーザが案内情報（特に図２のメッセージＭＳＧ１）の内容を理解できなければ、誤って設定してしまう可能性がある。たとえば実施の形態１では、案内情報の内容を理解できないユーザがインターレース方式のテレビに対してプログレッシブ再生を設定してしまうと、設定を訂正するためにリセットが必要となる。
【００５６】
実施の形態２では、たとえばプログレッシブ再生の設定が誤っていても、ユーザはリモコンのキー操作だけで設定情報を変更前の状態に戻すことができ、リセットの必要がない。また、ある設定情報が設定変更前の状態に戻されたとしても、他の設定項目（時計や受信チャネルなど）に関する設定情報は影響を受けない。よってユーザは設定を誤った項目のみについて設定情報を訂正できる。なお、実施の形態１と同様に、複数の項目のうち設定変更前の状態に戻すことが可能な項目については、設定が誤った場合におけるユーザの再設定の手間等を考慮して適切に定められる。
【００５７】
図５は、実施の形態２の映像音響機器における設定変更処理を示すフローチャートである。図５を参照して、ステップＳ１〜Ｓ４の各ステップの処理は図３のフローチャートでのステップＳ１〜Ｓ４の各ステップの処理と同様であるので以後の説明は繰り返さない。図５に示すフローチャートではステップＳ５に代えてステップＳ５Ａが含まれ、ステップＳ６〜Ｓ８に代えてステップＳ１１〜Ｓ１３が含まれる点で図３に示すフローチャートと異なる。よって、ステップＳ５Ａ以後の処理について以下説明する。
【００５８】
ステップＳ５Ａにおいて、制御部４は選択された項目が設定情報を変更前の状態に戻すことができる項目であるか否かを判定する。設定情報の変更条件が第１の条件を満たす場合、つまり設定情報を変更後の状態から変更前の状態に戻すことが可能な場合（ステップＳ５ＡにおいてＹＥＳ）、処理はステップＳ１１に進む。
【００５９】
ステップＳ１１では、制御部４は仮の設定変更処理を行なう。仮の設定変更処理とは、変更対象となる設定情報が記憶されている記憶部６の領域と別の領域に、変更後の設定情報（仮の設定情報）を一時的に保存する処理である。このように記憶部６に記憶される設定情報をすぐに書き換えないことにより、ユーザによる設定の取消しが可能になる。
【００６０】
続いてステップＳ１２では、制御部４はユーザ指示があるかどうかを繰り返し判定する。制御部４はユーザ指示が入力された場合（ステップＳ１２においてＹＥＳ）、ステップＳ１３において、そのユーザ指示が取消指示か否かを判定する。
【００６１】
ステップＳ１３において、ユーザ指示が取消指示である場合（ステップＳ１３においてＹＥＳ）、制御部４は設定情報の書換えを行なわず、処理はステップＳ１に戻る。上述の例で示すと取消指示は、リモコンの電源キーを２度押し、次に設定キーと決定キーとを同時に押したときにリモコンから送られる。
【００６２】
ステップＳ１３においてユーザの指示が取消指示以外の指示である場合（ステップＳ１３においてＮＯ）、処理は上述のステップＳ９に進む。ステップＳ９では制御部４は仮の設定情報を用いて記憶部６に記憶されている対象の設定情報を書き換える。なお、ユーザの指示が取消指示以外の指示である場合とは、たとえば図４の画面ＳＣ４の状態においてユーザがリモコンの「決定」キーを押した場合や遷移前の画面（図４の画面ＳＣ２）に戻るよう「戻る」キーを押した場合である。この場合には制御部４はユーザから実行指示が送られたと判定する。
【００６３】
一方、ステップＳ５Ａにおいて、設定情報の変更条件が第２の条件を満たす場合、つまり設定情報を変更後の状態から変更前の状態に戻すことが不可能な場合（ステップＳ５ＡにおいてＮＯ）、処理はステップＳ９に進む。ステップＳ９では、制御部は設定変更指示に応じて記憶部６に記憶されている対象の設定情報を書き換える。
【００６４】
以上のように実施の形態２によれば、所定の項目については、一旦ユーザが誤って設定しても所定のキー操作を行なうことにより変更を取消して、変更前の状態に戻すことができる。よってユーザはリセットによりすべての項目を再度設定する必要がなくなるのでユーザの利便性が向上する。
【００６５】
今回開示された実施の形態はすべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。
【図面の簡単な説明】
【００６６】
【図１】実施の形態１の映像音響機器の構成例を示すブロック図である。
【図２】図１のＤＶＤレコーダ１の機能設定時の画面遷移を示す図である。
【図３】実施の形態１の映像音響機器における設定変更処理を示すフローチャートである。
【図４】実施の形態２の映像音響機器の機能設定時の画面遷移を示す図である。
【図５】実施の形態２の映像音響機器における設定変更処理を示すフローチャートである。
【図６】従来のＤＶＤレコーダにおける設定メニュー画面の遷移例を示す図である。
【符号の説明】
【００６７】
１  ＤＶＤレコーダ、２  記録再生部、４  制御部、６  記憶部、８  出力部、９  表示処理部、１０  テレビ、１２  リモコン、１４  指示入力部、２０  アンテナ、２２  チューナモジュール部、２４  入力ジャック、２６  スイッチ部、Ｃ１，Ｃ１００  カーソル、Ｍ  チェック記号、ＭＳＧ１，ＭＳＧ２  メッセージ、Ｓ１〜Ｓ９，Ｓ１１〜Ｓ１３，Ｓ５Ａ  ステップ、ＳＣ１〜ＳＣ７，ＳＣ１０１〜ＳＣ１０４  画面。
【図１】
2006310966.tif 000003
【図２】
2006310966.tif 000004
【図３】
2006310966.tif 000005
【図４】
2006310966.tif 000006
【図５】
2006310966.tif 000007
【図６】
2006310966.tif 000008